(57)【特許請求の範囲】
【請求項１】
複数個の記録装置が搭載された記憶装置であって、
前記記録装置を前記記憶装置から挿抜するハンドルと、
前記記録装置が搭載された搭載部と、前記搭載部から前記ハンドルに向かって伸びたフレームとからなる２個の保持部材と、
前記２個のフレームの各々に形成され、前記記録装置と前記ハンドルと前記２個のフレームとで囲まれた領域の内部に伸びるように形成された２個の突出部と、
前記２個の突出部の面に重なるように設けられた拘束板と、
前記重なる部分に設けられ、前記２個の突出部と前記拘束板とを結合する粘弾性体とを備え、
前記２個の突出部の各々は、前記領域の底面から略同じ高さの位置に形成され、
前記拘束板は、前記２個の突出部の上面又は下面の何れかに配置され、
前記突出部は前記突出部の基底部の幅が前記突出部の先端部の幅よりも大きく形成され、かつ、前記フレームの幅よりも小さく形成され、
前記フレームは、前記突出部によって補強される補強部と、前記補強部の両端に設けられた変形部とで形成されることを特徴とする記憶装置。
【発明の詳細な説明】
【技術分野】
【０００１】
本発明は、記憶装置に関する。
【背景技術】
【０００２】
本技術の背景技術として、特開２００５−１８２９３６号公報がある。この公報には、「実装装置は、第１ＨＤＤ１０に緩衝材４４，４５，４６を設けるための緩衝材固定片４０と、緩衝材固定片４０と一体化した第１ＨＤＤ１０を保持してコントロールボード３０を固定するための保持枠体５０と、第２ＨＤＤ２０に緩衝材６４を設けるとともに、実装時におけるユニット収納部８４の段部８５との協働によりパームレスト部８３から遠ざかるように配置するための緩衝材固定片６０と、緩衝材固定片６０と一体化した第２ＨＤＤ２０を保持して上記保持枠体５０と連結される保持箱体７０とから構成されている」と記載されている（要約参照）。
【先行技術文献】
【特許文献】
【０００３】
【特許文献１】特開２００５−１８２９３６号公報
【発明の概要】
【発明が解決しようとする課題】
【０００４】
複数個の記録装置を搭載する記憶装置において、各々の記録装置は、保持部材(キャニスター）によって記憶装置の筺体に取り付けられている。
【０００５】
記録装置について、例えば、ＨＤＤ（ハードディスクドライブ）を用いて説明する。ＨＤＤは、内部のアクチュエータやディスクのスピンドルが稼働することによって、それ自体が振動を発生させる。この振動は、記憶装置に取り付けられた入出力をしていないＨＤＤに伝わり、入出力をしていないＨＤＤも振動する。この入出力をしていないＨＤＤからの振動が多重に重なり合って、入出力をしているＨＤＤに外部振動として伝わることにより、入出力をしているＨＤＤの動作に影響を与え、入出力の量に悪影響を及ぼしてしまう。
【０００６】
また、これらの振動はＨＤＤの保持部材にも伝わる。ＨＤＤの保持部材も構造物であるため、固有振動数の振動モードで振動してしまう。特許文献１のように、ＨＤＤの保持部材とＨＤＤとの間に緩衝材を設けることにより、振動の伝達を抑える方法もある。しかし、この方法では緩衝材をＨＤＤの保持部材とＨＤＤとの間の全ての部分に挟む必要があり、緩衝材を多く用いるため部品点数が増加してしまう。
【０００７】
そこで、本発明は、複数個の記録装置を備えた記憶装置において、記録装置からの振動を少ない部品点数で低減できる記憶装置を提供することを目的とする。
【課題を解決するための手段】
【０００８】
上記課題を解決するために、例えば特許請求の範囲に記載の構成を採用する。
【０００９】
本願は上記課題を解決する手段を複数含んでいるが、その一例を挙げるならば、複数個の記録装置が搭載された記憶装置であって、前記記録装置を前記記憶装置から挿抜するハンドルと、前記記録装置が搭載された搭載部と、前記搭載部から前記ハンドルに向かって伸びたフレームとからなる２個の保持部材と、前記２個のフレームの各々に形成され、前記記録装置と前記ハンドルと前記２個のフレームとで囲まれた領域の内部に伸びるように形成された２個の突出部と、前記２個の突出部の面に重なるように設けられた拘束板と、前記重なる部分に設けられ、前記２個の突出部と前記拘束板とを結合する粘弾性体とを備える。
【発明の効果】
【００１０】
本発明によれば、複数個の記録装置を備えた記憶装置において、記録装置からの振動を少ない部品点数で低減できる記憶装置を提供することが可能となる。
【００１１】
上記した以外の課題、構成及び効果は、以下の実施形態の説明により明らかにされる。
【図面の簡単な説明】
【００１２】
【図１】実施例１を示す図である。
【図２】実施例１の動作を示す図である。
【図３】記憶装置の全体構造の一例を示す概略図である。
【図４】実施例１を示し、図１のＡ−Ａ´断面をＹ方向から見た図である。
【図５】実施例２を示し、図１のＡ−Ａ´断面をＹ方向から見た図である。
【図６】実施例３を示す図である。
【図７】実施例３の変形例であり、粘弾性体１３を示す図である。
【図８】実施例３の変形例であり、図６のＢ−Ｂ´断面をＹ方向から見た図である。
【図９】実施例３の変形例を示す図である。
【発明を実施するための形態】
【００１３】
以下、実施例の説明では、記憶装置として例えばＲＡＩＤ装置、記録装置として例えばＨＤＤ（ハードディスクドライブ）を用いて説明する。
【実施例１】
【００１４】
図１は、実施例１を示す図である。図１は、ＲＡＩＤ装置にＨＤＤ１を搭載した保持部材２の拡大図である。図１において、Ｘの矢印はフレーム４から突出部６が伸びる方向と略平行となる方向、Ｙの矢印は保持部材２と略平行となる方向、Ｚの矢印は突出部６の面と略垂直となる方向を示す。
【００１５】
保持部材２は、記録装置であるＨＤＤ１が搭載される搭載部３と、搭載部３からハンドル５に向かって伸びる梁状のフレーム４とからなる。フレーム４は、アルミダイカスト又は樹脂などの材料からなる。ハンドル５は、フレーム４の先端部に設けられ、ＨＤＤ１をＲＡＩＤ装置から挿抜する場合に操作者が把持するものである。保持部材２は、ＨＤＤ１の左右の側面を両側から挟みこむようにして、互いに向かい合う面が略平行となるように２個設けられる。フレーム４には、フレーム４から内側に向かって伸びる突出部６が一体で形成されている。
【００１６】
なお、突出部６は、フレーム４とは別に製作して、フレーム４に接着してもよい。突出部６は、ＨＤＤ１とハンドル５と２個のフレーム４とで囲まれた領域２１の内部に向かうように設けられている。突出部６は、領域２１の内部に伸びるほどその幅が短くなるように形成されている。突出部６の少なくとも何れか一方は、基底部（フレーム４側）の幅が先端部の幅よりも大きく形成されている。このように形成することによって、突出部６は先端に行くほど断面積が小さくなり、曲げ応力が基底部から先端部にかけてほぼ一様の平等強さの梁となる。さらに、突出部６の先端部にかかる引張力に対する先端部の回転角度をより大きくすることができるとともに、後述する粘弾性体９におけるひずみを大きくすることが可能となる。ただし、突出部６の先端に後述する粘弾性体９を取り付ける部分を小さくする（粘弾性体９にひずみを集中させる）ために、上記した形状としているが、粘弾性体９を先端で保持できればよいので、突出部６の形状は必ずしも、内部に伸びるほど短くしなくてもよい。突出部６は、２個のフレーム４の各々に形成され、領域２１の底部から略同じ高さとなる位置に形成されている。２個の突出部６の各々は、領域２１で互いに接触しないように形成されている。すなわち、図１のＸ方向への２個の突出部６の少なくとも何れか一方の長さを、フレーム４間の距離の半分以下で形成されている。突出部６が形成される部分、即ち突出部６の根元付近は、突出部６によって補強される。この部分を補強部２０とする。突出部６がない部分７は、相対的に剛性が低くなり、図１のＸ方向に変形しやすくなる。この部分を変形部７とする。
【００１７】
一方、フレーム４の根元から内側に伸びた２個の突出部６の先端部は、拘束板８によって連結される。拘束板８には、２個の突出部６を連結するための粘弾性体９が設けられている。即ち、拘束板８は、２個の突出部６の面と重なり合うように設けられている。粘弾性体９は、この重なり合う部分に設けられ、２個の突出部６と拘束板８とを結合している。
【００１８】
図２に示すように、上記した構造において、搭載部３を固定部とし、２個のフレーム４を向かい合う２辺として、ハンドル５がＸ方向に移動した場合、フレーム４の各々の変形部７において曲げが発生し、フレーム４は略平行板ばねのように変形する。
【００１９】
この時、２個の突出部６は互いに反対方向に回転するため、２個の突出部６の先端部の距離は離れていく。また、２個の突出部６は、相対的に回転する。しかし、２個の突出部６が互いに反対方向に回転しても、拘束板８によって粘弾性体９は拘束されるので、粘弾性体９には大きなひずみが発生する。
【００２０】
図３は、実施例１の記憶装置であるＲＡＩＤ装置の全体を示す図であって、実施例１に係る部分のみを記載した概略図である。ＲＡＩＤ装置の筐体に、実施例１の保持部材２が複数個搭載されている。複数個あるＨＤＤ１の各々は、ＲＡＩＤ装置に設けられた複数の保持部材２に搭載され、情報の入出力が行われる。
【００２１】
ＨＤＤ１は、その内部に設けられたアクチュエータ（図示せず）やディスクスピンドル（図示せず）が稼働することによって、それ自体が振動を発生させる。稼動するＨＤＤ１から発生した振動が他のＨＤＤ１に伝わり、他のＨＤＤ１も振動する。他のＨＤＤ１が発生した振動が多重に重なって、稼動しているＨＤＤ１に伝わる。ＨＤＤ１自体の振動及び他のＨＤＤ１からの振動により、保持部材２は図２に示すような形状で変形する振動モードが発生する。
【００２２】
実施例１では、保持部材２が図２に示すような形状で変形した場合、粘弾性体９に大きなひずみを発生させ、この大きなひずみが熱エネルギーに変わることで、この振動を低減させることができる。
【００２３】
以上、実施例１によれば、記録装置であるＨＤＤ１から保持部材２に伝わる振動を記録装置全体から見て小さな粘弾性体９で低減させることができる。すなわち、粘弾性体９を小さくすることができるので、低コストで記録装置の振動を低減することが可能となる。
【００２４】
なお、拘束板８は、ステンレス等の剛性の高い部材を使用することが望ましい。これは、拘束板８の変形を極力小さくして、粘弾性体９の変形を大きくすることにより、粘弾性体９で多くの振動のエネルギーを熱エネルギーに変えることができるためである。また、粘弾性体９には、シート状であり、両面に粘着性がある制振材料を用いるのがよい。さらに、図４は、図１のＡ−Ａ´断面であり、且つＹ方向から見た図である。図４に示すように、まず拘束板８の片面の両端の２箇所に粘弾性体９を貼り付け、それを２個の突出部６の先端部であり、２個の突出部６の上面又は下面の何れかの面であって同じ面に貼り付けることにより、実施例１の構造を容易に製作することができ、生産効率が向上する。
【実施例２】
【００２５】
図５を用いて実施例２を説明する。図５は、図１のＡ−Ａ´断面であり、且つＹ方向から見た図である。実施例２では、実施例１と同じ点については、その説明を省略する。
【００２６】
実施例２は、実施例１の拘束板８がない点で実施例１と異なる。また、実施例２では、図５に示すように、２個の突出部６の各々が領域２１の底部からの高さが異なるように領域２１の内部に形成されている。また、２個の突出部６の各々の先端部は、互い違いになるように異なるフレーム４側へ長く伸びており、互いに重なり合っている。さらに、図１のＸ方向への２個の突出部６の少なくとも何れか一方の長さは、フレーム４間の距離の半分よりも長く形成されている。突出部６は、領域２１の内部に伸びるほどその幅が短くなるように形成されている。
【００２７】
また、２個の突出部６が互いに重なり合う部分に、粘弾性体９が貼り付けられている。即ち、粘弾性体９は、２個の突出部６に対して、粘弾性体９の上面が何れか一方の突出部６の下面の端部に貼り付けられ、粘弾性体９の下面が他方の突出部６の上面の端部に貼り付けられている。このように粘弾性体９を貼り付けることにより、２個の突出部６を結合している。
【００２８】
実施例２では、実施例１と異なり、拘束板８がないため、２個の突出部６が互いに反対方向に回転すると、粘弾性体９はこの回転により発生する応力を直接受ける。このため、粘弾性体９には、実施例１よりも大きなひずみが発生し、より大きな減衰効果が得られ、よりＨＤＤ１の減衰を抑えることができる。
【００２９】
以上、実施例２によれば、拘束板８がなくても、２個の突出部６が互いに重なるようにすることで、実施例１と同様に、記録装置による振動を低減させることができる。また、実施例２では、実施例１に対して、拘束板８がないため部品点数をさらに減らすことができるとともに、粘弾性体９を１箇所に設ければよくなるため粘弾性体９をさらに小さくすることができる。
【実施例３】
【００３０】
図６を用いて実施例３を説明する。図６において、Ｘの矢印の方向、Ｙの矢印の方向、Ｚの矢印の方向は、図１で説明した方向と同じであるため、その説明を省略する。
【００３１】
実施例３では、実施例２と同様に、拘束板８を使用せずに、２個の突出部６の先端部を粘弾性体１１で直接連結している。ただし、実施例２とは異なり、２個の突出部６の各々を領域２１の内部であり、領域２１の底部から略同じ高さとなる位置に形成している。
【００３２】
突出部６は、領域２１の内部に伸びるほどその幅が短くなるように形成されている。少なくとも、突出部６の少なくとも何れか一方は、基底部（フレーム４側）の幅が先端部の幅よりも大きく形成されている。ただし、突出部６の先端に粘弾性体１１を取り付ける部分を小さくする（粘弾性体１１にひずみを集中させる）ために、上記した形状としているが、粘弾性体１１を先端で保持して、ひずみを集中できればよいので、突出部６の形状を内部に伸びるほど短くする以外の方法として、粘弾性体１１を小さくする方法も考えられる。さらに、図６のＸ方向への２個の突出部６の少なくとも何れか一方の長さを２個のフレーム４間の長さの半分以下とし、２個の突出部６の各々が互いに接触しないようにしている。すなわち、実施例３では、２個の突出部６と粘弾性体１１とが、略同一直線状に並ぶように設けられている。
【００３３】
粘弾性体１１には、高い低減効果が得られるゴム、例えばフッ素ゴムなどを使用する。この場合、実施例２と同様に、２個の突出部６が互いに反対方向に回転すると、粘弾性体１１には実施例１よりも大きなひずみが発生し、この大きなひずみが熱エネルギーに変わることで、ＨＤＤ１の振動を低減させることができる。
【００３４】
また、粘弾性体１１は、突出部６の先端部の全体を覆う型を用いて製作している。粘弾性体１１の先端部は２個の突出部６の先端部の全体を覆う形状であるため、粘弾性体１１の先端部と２個の突出部６の先端部同士を容易に連結することができ、生産効率が向上する。
【００３５】
実施例３の変形例について、図７，図８を用いて説明する。図７は、粘弾性体１１とは異なる粘弾性体１３を示す図である。図８は、粘弾性体１３に２個の突出部６を連結した図である。
【００３６】
図７に示すように、粘弾性体１３をブロックで形成し、その側面には窪み１２が設けられる。窪み１２の底面の形状は、突出部６の先端面の形状と略相似である。粘弾性体１３には、粘弾性体１１と同様に、高い低減効果が得られるゴム、例えばフッ素ゴムなどを使用する。粘弾性体１３はブロック形状であるため、射出成型に材料を流し込むことにより、容易に製作することができる。粘弾性体１３を２個の突出部６の各々の先端に挟みこみ、粘弾性体１３と２個の突出部６と連結する。このように粘弾性体１３を２個の突出部６に挟み込むため、粘弾性体１３を何時でも取り替えることができ、使用状況に応じて粘弾性体１３の材料を選択することができる。なお、粘弾性体１３を２個の突出部６に接着してもよい。
【００３７】
実施例３の変形例について、図９を用いて説明する。図９は、図６のＺ方向からみた図である。
【００３８】
図９において、２個の突出部６の各々の先端部に溝１４が設けられている。粘弾性体１５は、フランジ１６と、２個の突出部６の溝１４に嵌め合う挿入部１７とからなる。フランジ１６は、挿入部１７よりも大きく形成されている。フランジ１６を挿入部１７よりも大きく形成し、挿入部１７がフランジ１６に連結する部分（挿入部１７とフランジ１６との境界）で大きなひずみを発生させることにより、ＨＤＤ１の振動を減少させることが可能となる。また、この部分におけるフランジ１６と挿入部１７の大きさを変え、この部分の寸法公差を調整し、この部分で大きなひずみを発生させること、即ち、必要最小限の調整で、ＨＤＤ１の振動を減少させることが可能となる。この例では、挿入部１７を溝１４に差し込むことにより、粘弾性体１５と２個の突出部６の各々の先端部とを連結する構造としている。また、溝１４に接着剤を流し込むことにより、挿入部１７と溝１４を接着してもよい。
【００３９】
粘弾性体１５には、粘弾性体１１と同様に、高い低減効果が得られるゴム、例えばフッ素ゴムなどを使用する。粘弾性体１５を製作するにあたり、粘弾性体１５を射出成型に材料を流し込むことにより、容易に製作することができる。また、フランジ１６と挿入部１７を一体で製作しても、フランジ１６に挿入部１７を接着して製作してもよい。
【００４０】
なお、本発明は上記した実施例１〜３に限定されるものではなく、様々な変形例が含まれる。例えば、上記した実施例１〜３は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００４１】
１  ＨＤＤ
２  保持部材
３  搭載部
４  フレーム
５  ハンドル
６  突出部
７  変形部
８  拘束板
９  粘弾性体
１０  筐体
１１  粘弾性体
１２  くぼみ
１３  ブロック
１４  溝
１５  連結部材
１６  フランジ
１７  挿入部
２０  補強部
２１  ＨＤＤ１とハンドル５と２個のフレーム４とで囲まれた領域
【図１】
0005509056.tif 000002
【図２】
0005509056.tif 000003
【図３】
0005509056.tif 000004
【図４】
0005509056.tif 000005
【図５】
0005509056.tif 000006
【図６】
0005509056.tif 000007
【図７】
0005509056.tif 000008
【図８】
0005509056.tif 000009
【図９】
0005509056.tif 000010